(57)【要約】  圧迫療法装置、およびそれを製造しかつ圧迫を加える方法が、包帯と、包帯に結合された張力インジケータとを含み得る。張力インジケータが、ポリマーマトリクスに堆積された液晶液滴層を有するフィルムを含み得る。張力インジケータが、包帯の第１の端部と第２の端部との間で張力下で色ずれするように適合され得る。 【選択図】図１
2016514028.tif 000002
【特許請求の範囲】
【請求項１】
圧迫療法装置において、
包帯と；
ポリマーマトリクスに堆積された液晶液滴の層を含む張力インジケータであって、前記包帯に結合され、かつ張力下で色ずれするように適合された張力インジケータと
を含むことを特徴とする、圧迫療法装置。
【請求項２】
請求項１に記載の圧迫療法装置において、前記包帯および前記張力インジケータの長さが等しいことを特徴とする、圧迫療法装置。
【請求項３】
請求項１に記載の圧迫療法装置において、前記包帯および前記張力インジケータの幅が等しいことを特徴とする、圧迫療法装置。
【請求項４】
請求項１に記載の圧迫療法装置において、前記張力インジケータが、前記包帯の幅にわたって前記包帯に結合された複数の張力インジケータを含むことを特徴とする、圧迫療法装置。
【請求項５】
請求項１に記載の圧迫療法装置において、前記張力インジケータが、前記包帯の幅にわたって前記包帯に結合された複数の張力インジケータを含み、各張力インジケータが、前記包帯の前記幅の一部分における張力を示すように適合されていることを特徴とする、圧迫療法装置。
【請求項６】
請求項１に記載の圧迫療法装置において、前記張力インジケータが、前記包帯の幅にわたって前記包帯に結合された複数の張力インジケータを含み、各張力インジケータが、異なる予め決められた張力を示すように適合されていることを特徴とする、圧迫療法装置。
【請求項７】
請求項１に記載の圧迫療法装置において、前記張力インジケータが複数の張力インジケータを含み、各張力インジケータが、前記包帯の長さに沿って前記包帯に結合されていることを特徴とする、圧迫療法装置。
【請求項８】
請求項１に記載の圧迫療法装置において、前記張力インジケータが複数の張力インジケータを含み、各張力インジケータが、前記包帯の長さに沿って前記包帯に結合され、かつ前記包帯の前記長さの一部分における張力を示すように適合されていることを特徴とする、圧迫療法装置。
【請求項９】
請求項１に記載の圧迫療法装置において、
前記張力インジケータが複数の張力インジケータを含み、各張力インジケータが、前記包帯の長さに沿って前記包帯に結合され、かつ前記包帯の前記長さの一部分における張力を示すように適合されており；および
各張力インジケータが、前記包帯の前記長さに沿って線形的に配置されていることを特徴とする、圧迫療法装置。
【請求項１０】
請求項１に記載の圧迫療法装置において、
前記張力インジケータが複数の張力インジケータを含み、各張力インジケータが、前記包帯の長さに沿って前記包帯に結合され、かつ前記包帯の前記長さの一部分における張力を示すように適合されており；および
各張力インジケータが、前記包帯の前記長さに沿って線形的に配置されているため、第１の張力インジケータの端部が第２の張力インジケータの端部に隣接していることを特徴とする、圧迫療法装置。
【請求項１１】
請求項１に記載の圧迫療法装置において、
前記張力インジケータが複数の張力インジケータを含み、各張力インジケータが、前記包帯の長さに沿って前記包帯に結合され、かつ前記包帯の前記長さの一部分における張力を示すように適合されており；
各張力インジケータが、前記包帯の前記長さに沿って線形的に配置されているため、第１の張力インジケータの端部が第２の張力インジケータの端部に隣接しており；および
前記張力インジケータが、前記包帯の幅にわたって前記包帯に結合されていることを特徴とする、圧迫療法装置。
【請求項１２】
請求項１に記載の圧迫療法装置において、
前記張力インジケータが複数の張力インジケータを含み、各張力インジケータが、前記包帯の長さに沿って前記包帯に結合され、かつ前記包帯の前記長さの一部分における張力を示すように適合されており；
各張力インジケータが、前記包帯の前記長さに沿って線形的に配置されているため、第１の張力インジケータの端部が第２の張力インジケータの端部に隣接しており；
前記張力インジケータが、前記包帯の幅にわたって前記包帯に結合されており；および
各張力インジケータが、前記包帯の前記幅の一部分における張力を示すように適合されていることを特徴とする、圧迫療法装置。
【請求項１３】
請求項１に記載の圧迫療法装置において、
前記張力インジケータが複数の張力インジケータを含み、各張力インジケータが、前記包帯の長さに沿って前記包帯に結合され、かつ前記包帯の前記長さの一部分における張力を示すように適合されており；
各張力インジケータが、前記包帯の前記長さに沿って線形的に配置されているため、第１の張力インジケータの端部が第２の張力インジケータの端部に隣接しており；
前記張力インジケータが、前記包帯の幅にわたって前記包帯に結合されており；および
各張力インジケータが、異なる予め決められた張力を示すように適合されていることを特徴とする、圧迫療法装置。
【請求項１４】
請求項１に記載の圧迫療法装置において、前記第１の端部および前記第２の端部の少なくとも一方を前記包帯の一部分に結合するように適合された１つ以上の包帯止めをさらに含むことを特徴とする、圧迫療法装置。
【請求項１５】
請求項１に記載の圧迫療法装置において、前記張力インジケータが、ホログラフィ形成ポリマー分散液晶フィルムを含むことを特徴とする、圧迫療法装置。
【請求項１６】
請求項１に記載の圧迫療法装置において、前記色ずれが、前記包帯に張力が加えられるときの、第１の色から第２の色への変化を含むことを特徴とする、圧迫療法装置。
【請求項１７】
請求項１に記載の圧迫療法装置において、前記色ずれが、乳白色から青色へ変化する前記張力インジケータを含むことを特徴とする、圧迫療法装置。
【請求項１８】
請求項１に記載の圧迫療法装置において、前記張力インジケータが前記包帯に織り込まれていることを特徴とする、圧迫療法装置。
【請求項１９】
請求項１または２乃至１８の何れか１項に記載の圧迫療法装置において、前記ポリマーマトリクスが弾性ポリマーマトリクスであることを特徴とする、圧迫療法装置。
【請求項２０】
請求項１または請求項２乃至１８の何れか１項に記載の圧迫療法装置において、前記包帯および前記ポリマーマトリクスが、実質的に同じ割合で変形するように構成されていることを特徴とする、圧迫療法装置。
【請求項２１】
請求項１に記載の圧迫療法装置において、前記張力インジケータが、前記包帯の幅にわたって分配された複数の張力インジケータを含むことを特徴とする、圧迫療法装置。
【請求項２２】
請求項１に記載の圧迫療法装置において、前記張力インジケータが、前記包帯の幅にわたって割り当てられた複数の張力インジケータを含むことを特徴とする、圧迫療法装置。
【請求項２３】
請求項１に記載の圧迫療法装置において、前記張力インジケータが、前記包帯の幅にわたって等しく割り当てられた複数の張力インジケータを含むことを特徴とする、圧迫療法装置。
【請求項２４】
請求項１に記載の圧迫療法装置において、前記張力インジケータが、前記包帯の幅にわたって分配されかつ前記包帯の長さに沿って平行な複数の張力インジケータを含むことを特徴とする、圧迫療法装置。
【請求項２５】
包帯の製造方法において、
包帯を提供するステップと；
前記包帯に張力インジケータを結合するステップであって、前記張力インジケータが、張力下で色ずれするように適合されており、前記張力インジケータが、ポリマーマトリクスに堆積された液晶液滴の層を含むステップと
を含むことを特徴とする、方法。
【請求項２６】
請求項２５に記載の方法において、前記張力インジケータを結合するステップが、前記張力インジケータを前記包帯の表面に接着することを含むことを特徴とする、方法。
【請求項２７】
請求項２５に記載の方法において、前記張力インジケータを結合するステップが、前記張力インジケータを前記包帯に織り込むことを含むことを特徴とする、方法。
【請求項２８】
請求項２５に記載の方法において、前記張力インジケータを結合するステップが、前記張力インジケータを前記包帯の表面にボンディングすることを含むことを特徴とする、方法。
【請求項２９】
請求項２５に記載の方法において、前記張力インジケータが複数の張力インジケータを含むことを特徴とする、方法。
【請求項３０】
組織部位に圧迫療法を施す方法において、
圧迫療法装置を提供するステップであって、圧迫療法装置が：
包帯、および
ポリマーマトリクスに堆積された液晶液滴の層を含む張力インジケータであって、前記包帯に結合され、かつ張力下で色ずれするように適合されている張力インジケータ
を含むステップと；
前記組織部位に前記包帯の前記第１の端部を固定するステップと；
前記包帯に張力を加えるステップと；
前記色ずれに関して前記張力インジケータを監視するステップと；
前記張力インジケータが色ずれする場合、前記組織部位に前記包帯を巻き付けるステップと
を含むことを特徴とする、方法。
【請求項３１】
請求項３０に記載の方法において、前記張力インジケータが、前記包帯の幅にわたって前記包帯に結合された複数の張力インジケータを含むことを特徴とする、方法。
【請求項３２】
請求項３０に記載の方法において、前記張力インジケータが、前記包帯の幅にわたって前記包帯に結合された複数の張力インジケータを含み、各張力インジケータが、前記包帯の前記幅の一部分における張力を示すように適合されていることを特徴とする、方法。
【請求項３３】
請求項３０に記載の方法において、前記張力インジケータが、前記包帯の幅にわたって前記包帯に結合された複数の張力インジケータを含み、各張力インジケータが、異なる予め決められた張力を示すように適合されていることを特徴とする、方法。
【請求項３４】
請求項３０に記載の方法において、前記張力インジケータが複数の張力インジケータを含み、各張力インジケータが、前記包帯の長さに沿って前記包帯に結合されていることを特徴とする、方法。
【請求項３５】
請求項３０に記載の方法において、前記張力インジケータが複数の張力インジケータを含み、各張力インジケータが、前記包帯の長さに沿って前記包帯に結合され、かつ前記包帯の前記長さの一部分における張力を示すように適合されていることを特徴とする、方法。
【請求項３６】
請求項３０に記載の方法において、
前記張力インジケータが複数の張力インジケータを含み、各張力インジケータが、前記包帯の長さに沿って前記包帯に結合され、かつ前記包帯の前記長さの一部分における張力を示すように適合されており；および
各張力インジケータが、前記包帯の前記長さに沿って線形的に配置されていることを特徴とする、方法。
【請求項３７】
請求項３０に記載の方法において、
前記張力インジケータが複数の張力インジケータを含み、各張力インジケータが、前記包帯の長さに沿って前記包帯に結合され、かつ前記包帯の前記長さの一部分における張力を示すように適合されており；および
各張力インジケータが、前記包帯の前記長さに沿って線形的に配置されているため、第１の張力インジケータの端部が第２の張力インジケータの端部に隣接していることを特徴とする、方法。
【請求項３８】
請求項３０に記載の方法において、
前記張力インジケータが複数の張力インジケータを含み、各張力インジケータが、前記包帯の長さに沿って前記包帯に結合され、かつ前記包帯の前記長さの一部分における張力を示すように適合されており；
各張力インジケータが、前記包帯の前記長さに沿って線形的に配置されているため、第１の張力インジケータの端部が第２の張力インジケータの端部に隣接しており；および
前記張力インジケータが、前記包帯の幅にわたって前記包帯に結合されていることを特徴とする、方法。
【請求項３９】
請求項３０に記載の方法において、
前記張力インジケータが複数の張力インジケータを含み、各張力インジケータが、前記包帯の長さに沿って前記包帯に結合され、かつ前記包帯の前記長さの一部分における張力を示すように適合されており；
各張力インジケータが、前記包帯の前記長さに沿って線形的に配置されているため、第１の張力インジケータの端部が第２の張力インジケータの端部に隣接しており；
前記張力インジケータが、前記包帯の幅にわたって前記包帯に結合されており；および
各張力インジケータが、前記包帯の前記幅の一部分における張力を示すように適合されていることを特徴とする、方法。
【請求項４０】
請求項３０に記載の方法において、
前記張力インジケータが複数の張力インジケータを含み、各張力インジケータが、前記包帯の長さに沿って前記包帯に結合され、かつ前記包帯の前記長さの一部分における張力を示すように適合されており；
各張力インジケータが、前記包帯の前記長さに沿って線形的に配置されているため、第１の張力インジケータの端部が第２の張力インジケータの端部に隣接しており；
前記張力インジケータが、前記包帯の幅にわたって前記包帯に結合されており；および
各張力インジケータが、異なる予め決められた張力を示すように適合されていることを特徴とする、方法。
【請求項４１】
本明細書で実質的に図示しかつ説明される装置、システム、および方法。
【発明の詳細な説明】
【技術分野】
【０００１】
関連出願の相互参照
米国特許法第１１９条（ｅ）下において、本出願は、２０１３年３月１４日出願の米国仮特許出願第６１／７８４，６８１号明細書（名称「Ｃｏｍｐｒｅｓｓｉｏｎ  Ｂａｎｄａｇｅ  ｈａｖｉｎｇ  ａｎ  Ｉｎｔｅｇｒａｔｅｄ  Ｓｔｒａｉｎ  Ｇａｕｇｅ」）の優先権および利益を主張し、その開示全体を、参照することにより本書に援用する。
【０００２】
本開示は、概して圧迫療法に関し、より詳細には、限定されるものではないが、統合ひずみ計を有する圧迫療法装置およびシステム、およびその作製および使用方法に関する。
【背景技術】
【０００３】
静脈疾患を患っている人は多く、静脈疾患は、病気または異常になった静脈に関連する状態である。例えば、静脈壁は弱くなったり損傷したりして、静脈周囲の筋肉が弛緩すると、血液を逆流させ得る。血液の逆流は、静脈中の高い圧力の原因となり、静脈の伸張、ねじれ、および腫れを生じ得る。静脈疾患は、例えば、くも状静脈、拡張蛇行静脈、脚の腫れおよび脚の疼痛、慢性静脈不全、脚の表皮変化、脚の潰瘍、静脈炎、血管奇形、および静脈奇形を含み得る。軽度の静脈疾患は、一般に、静脈疾患を患っている人の日常生活に影響を及ぼさない；しかしながら、重症の場合は消耗し得る。
【０００４】
静脈疾患の治癒を促すために、しっかりフィットするラップまたは弾性包帯を使用して、四肢または他の組織部位を圧迫し得る。包帯は、四肢または他の組織部位に適用されたとき、張力のかかった状態に保持される必要がある。しかしながら、その適用中に、適切な量の張力が包帯に加えられているかどうかを判断することは困難であることがあり、圧迫療法の有効性を低下させる可能性がある。
【発明の概要】
【０００５】
一部の例示的実施形態によれば、圧迫療法装置が説明される。圧迫療法装置は、第１の端部、第２の端部、および第１の端部と第２の端部との間に延在する長さを有する包帯を含み得る。圧迫療法装置はまた、張力インジケータを含み得る。張力インジケータは、ポリマーマトリクスに堆積された液晶液滴層を有するフィルムを含み得る。張力インジケータは、包帯に結合され、かつ第１の端部と第２の端部との間で張力下で色ずれするように適合され得る。
【０００６】
他の例示的実施形態によれば、包帯の製造方法が説明される。第１の端部、第２の端部、および第１の端部と第２の端部との間に延在する長さを有する包帯が、提供され得る。張力インジケータが包帯に結合され得る。張力インジケータは、張力下で、包帯の第１の端部と第２の端部との間で色ずれするように適合され得る。張力インジケータは、ポリマーマトリクスに堆積された液晶液滴層を有するフィルムを含み得る。
【０００７】
他の例示的実施形態によれば、組織部位に圧迫療法を施す方法が説明される。圧迫療法装置が提供され得る。圧迫療法装置は、第１の端部、第２の端部、および第１の端部と第２の端部との間に延在する長さを有する包帯を含み得る。圧迫療法装置はまた、張力インジケータを含み得る。張力インジケータは、ポリマーマトリクスに堆積された液晶液滴層を有するフィルムを含み得る。張力インジケータは、包帯に結合され、かつ第１の端部と第２の端部との間で張力下で色ずれするように適合され得る。包帯の第１の端部は組織部位に固定され、かつ張力が包帯に加えられ得る。張力インジケータは、色ずれに関して監視され得る。張力インジケータが色ずれする場合、包帯を組織部位に巻き付け得る。
【０００８】
例示的実施形態の他の態様、特徴、および利点は、以下の図面および詳細な説明を参照することにより、明らかとなる。
【図面の簡単な説明】
【０００９】
【図１】図１は、例示的な実施形態による包帯の斜視図である。
【図２】図２は、組織部位に適用された図１の包帯を示す。
【図３】図３は、図１の包帯の平面図である。
【図４】図４は、別の実施形態による別の包帯の平面図である。
【図５】図５は、図４の包帯の平面図である。
【図６】図６は、別の実施形態による別の包帯の平面図である。
【図７】図７は、別の実施形態による別の包帯の平面図である。
【発明を実施するための形態】
【００１０】
組織部位に圧迫療法を施すための新しくかつ有用なシステム、方法、および装置が、添付の特許請求の範囲に記載されている。システム、方法、および装置を作製および使用する目的、利点、および好ましい態様は、添付図面と併せて以下の詳細な説明を参照することにより、最も理解され得る。説明では、当業者が、特許請求する主題を作製および使用できるようにする情報を提供するが、当技術分野で既に周知の特定の情報に関する説明を省略し得る。さらに、「または」などの用語を使用する様々な代替例の説明は、文脈上明白に必要とされない限り、相互排他性である必要はない。特許請求する主題はまた、具体的に詳細に説明されていない代替的な実施形態、変形例、および均等物を含む。それゆえ、以下の詳細な説明は、説明であり、限定とはみなされない。
【００１１】
例示的な実施形態は、本明細書では、全体的に、圧迫療法の適用に関連して説明される。様々な要素間の空間的関係、または様々な要素の空間的定位に対する空間的関係は、添付の図面に示されるように説明され得る。概して、そのような関係または定位は、圧迫療法を受ける位置にいる患者と一致するかまたはその患者に対する基準系とみなす。しかしながら、当業者に認識される必要があるように、この基準系は、厳密な規定ではなく、単に説明のための手段である。
【００１２】
図１は、本明細書による、組織部位の治療的圧迫をもたらし得る圧迫療法装置１００の一部の実施形態に関連付けられ得る詳細を示す斜視図である。図示の通り、圧迫療法装置１００は、包帯１１０などの包帯と、張力インジケータ１０２などの１つ以上の張力表示部材と、包帯止め（ｃｏｕｐｌｅｒ）１０４などの１つ以上の取付装置とを含む。包帯１１０は、第１の端部１０６、第２の端部１０８、長さ、および幅１１４を有し得る。一部の実施形態では、圧迫療法装置１００の第１の端部、第２の端部、長さ、および幅は、包帯１１０の第１の端部１０６、第２の端部１０８、長さ、および幅１１４と一致し得る。一部の実施形態では、圧迫療法装置１００は、四肢、例えば脚の一部分を受け入れるように適合され得る。
【００１３】
図２は、圧迫療法装置１００の一部の実施形態に関連付けられ得る追加的な詳細を示す立面図である。圧迫療法装置１００は、四肢、例えば脚１１２の一部分を覆うように適合され得る。例えば、脚１１２は包帯１１０で包まれ得る。包帯１１０は、一般的に、任意のタイプの包帯、ストッキング、ラップ、または組織部位との接触に好適な他の衣類を表す。一般的に、包帯１１０は、組織部位に相当な圧力を生じるように適合され得る弾性材で形成され得る。一部の実施形態では、包帯１１０は、ラテックス、ゴム、綿、ポリエステル、またはラテックスフリーの弾性糸の組み合わせで形成され得る。包帯１１０は、組織部位や組織部位周囲の表皮と快適に接触し得る他の材料で形成され得る。他の例示的な実施形態では、圧迫療法装置１００は、複数のサイズで提供されて、様々な脚のサイズに合うようにし得る。例えば、圧迫療法装置１００が、より小さいまたは大きい四肢に合うように適合され得るように、包帯１１０の長さは変更し得る。それに加えてまたはその代わりに、幅１１４は、より小さいまたは大きい四肢に合うように適合され得る。
【００１４】
包帯止め１０４は、圧迫療法装置１００を脚１１２などの四肢に固定するように構成された好適な装置とし得る。一部の実施形態では、圧迫療法装置１００は、第１の端部１０６を脚１１２の足首に近接して配置することによって、脚１１２に適用され得る。その後、圧迫療法装置１００は、足首の周りに巻かれるため、圧迫療法装置１００の一部分は、第１の端部１０６の少なくとも一部分に重なり合い得る。包帯止め１０４は、包帯１１０の第１の端部１０６の一部分に固定する第１の端部と、第１の端部１０６に重なり合う包帯１１０の一部分に固定する第２の端部とを有し得る。包帯１１０の異なる部分に包帯止め１０４の対向端部を固定することによって、圧迫療法装置１００を脚１１２の足首に固定し得る。一部の実施形態では、包帯止め１０４は、例えば、テープなどの、包帯１１０に接着するように構成された装置とし得る。他の実施形態では、包帯止め１０４は、包帯１１０を少なくとも部分的に穿孔して包帯止め１０４を固定するように構成された部材を有するアルミニウムまたはプラスチックの装置とし得る。さらに他の例示的な実施形態では、包帯止め１０４は面ファスナー装置とし得る。下記で詳細に説明するように、包帯止め１０４は、包帯１１０に適用された張力を維持するのに十分な強度を有し得る。
【００１５】
圧迫療法装置１００は、圧迫療法で治療されることが多い脚の潰瘍および水腫などの静脈疾患を治療するのに、特に有益とし得る。立っている被験者の静脈内の圧力は、大部分は静水圧とし得るため、静脈疾患への影響を中和するために必要とし得る外圧は、四肢、特に脚の上部になるにつれて徐々に低下し得る。四肢内の静水頭では効果的に低下するので、圧迫量を低下させることが必要とされる。このため、外部圧迫は、段階的に適用し、脚の足首などの四肢の遠位端部において最大に圧迫し得る。四肢の圧迫は、四肢の静脈、特に四肢の表面に近接する静脈内の圧力を増加させ得る。四肢の表面に近接する静脈はまた、浅静脈として公知とし得る。圧迫は、一般的に、浅静脈からの血流を、より深い静脈の方へ向けるように促し、より深い静脈では、血液は、より簡単に四肢から運ばれ得る。静脈での圧力の増加により、腫れを減少させ、かつ静脈疾患の症状を軽減させ得る。
【００１６】
圧迫療法は、施すことが困難であることがあり、かつ四肢の異なる部分には異なる圧迫を必要とし得る。所望の方向に血流を促すための四肢または他の組織部位への圧迫を変化させることは、本明細書では、全体的に、「圧迫プロファイル」と称し得る。例えば、圧迫プロファイルは、脚の足首から大腿への血流を促すように処方され得る。上述の通り、圧迫は、通常、足首において最高圧、および膝または骨盤に近接する脚のより高い部分では最低圧となるように、段階的に行われ得る。
【００１７】
圧迫靴下に関する現在の英国での標準（ＢＳ  ６６１２：１９８５）では、３つの異なる種類のストッキングが説明されている。３つの異なる種類は、約１４ｍｍＨｇ〜約３５ｍｍＨｇにわたる足首での圧迫をもたらし得る。包帯の真下に生じた圧力は、包帯の張力、四肢の曲率半径、および四肢に適用される包帯の層の数によって決められ得る。５０％の重なりで包帯を適用すること、すなわち、包帯の各層の幅の少なくとも５０％が前の層に重なり合うように包帯を適用することは、２つの層の包帯を生じ得るため、０％の重なりで包帯を適用することにより生じる包帯下圧力の２倍の包帯下圧力を生成し得る。包帯下圧力は、包帯の真下の四肢の表面における圧力とし得る。包帯下圧力は、ラプラスの方程式によって得られる式を使用して計算され得る。包帯下圧力の方程式は以下のとおりである：
Ｐ＝（ＴＮ×４６３０）／ＣＷ
包帯下圧力の方程式では、Ｐは、ｍｍＨｇ単位の圧力であり、Ｔは、ｋｇｆ単位の包帯の張力であり、Ｃは、ｃｍ単位の四肢の周囲であり、Ｗは、ｃｍ単位の包帯の幅であり、およびＮは、適用される層の数である。この方程式によれば、包帯下圧力は、包帯張力に正比例し、かつ包帯が適用される四肢の曲率半径に反比例する。標準的な大きさの四肢、すなわち四肢の遠位端部から四肢の近位端部へと外周囲が大きくなる四肢に、一定の張力で適用された包帯は、四肢の遠位部分に近接し最高の包帯下圧力を配置させて、段階的な圧迫プロファイルを生じ得る。例えば、脚１１２は、脚１１２が足首部分から膝部分へ移行するにつれて増加する近似直径を有し得る。圧迫療法装置１００が一定の張力で脚１１２に適用される場合、段階的な圧迫プロファイルが生じ得る。段階的な圧迫プロファイルは、足首に近接して最高の包帯下圧力、および膝に近接して最低の包帯下圧力を有し得る。
【００１８】
従来の圧迫包帯を用いて、処方された圧迫プロファイルを四肢または他の組織部位に首尾よく適用することは、治療する臨床医の経験に大きく依存し得る。臨床医は、所望の圧迫プロファイルを達成するように四肢に包帯を巻き付けている最中、圧迫包帯に適切な張力を維持することは難しいと思うことが多いとし得る。包帯の適用が緩すぎる場合、包帯は、役に立たないとし得る。包帯の適用がきつすぎる場合、包帯は、組織を損傷させ、かつ壊死させる原因となり得る。極端な場合は、包帯の適用がきつすぎると、特に四肢に動脈疾患が存在する場合、切断の原因となり得る。臨床医が適切に圧迫療法を施すために必要な時間は、かなりの時間であるとし、かつ脚の静脈性潰瘍などの静脈疾患の治療の総費用の重要な要素とし得る。脚の静脈疾患の管理の成功は、重大な臨床的問題、および限られた財源の主要な消費の原因を表す。１９９１年の、英国の国民保険サービス（Ｎａｔｉｏｎａｌ  Ｈｅａｌｔｈ  Ｓｅｒｖｉｃｅ）の脚の潰瘍の問題による年間コストは、２．３億ポンド〜４億ポンドに達すると推定された。
【００１９】
既存の包帯は、所望の圧迫プロファイルに関して適切な張力が包帯に加えられているかどうかを判断するのを支援するための装置を含み得る。一般的に、これらの装置は、四肢に包帯を適用する最中に、包帯に適切に張力がかけられているかどうかを主観的に見分けるために、包帯を適用する人に依存し得る。一部の包帯は、包帯に印刷されたかまたは縫いつけられたかの何れかとし得るアイコンまたは形状を組み込んでいる。アイコンまたは形状は、適用中に、正しい張力が包帯に適用されているかどうかを判断するためのインジケータの機能を果たし得る。包帯が弾性的に変形または伸張すると、それに応じてその形状は伸張する。変形した形状が、予め決められた幾何学的パターンに適合する場合、適切な張力が包帯に加えられている。アイコンまたは形状は、アイコンが幾何学的パターンに適合するかどうかを判断するために、厳重に監視および判定される必要がある。幾何学的形状の変化を正しく見分けることは困難とし得る。例えば、包帯が四肢に巻き付けられると、四肢の湾曲に起因する形状の歪みが、所望の張力が包帯に加えられているという、不正確な判断を導き得る。その結果、包帯は、所望の圧迫を加えない場合がある。同様に、変化がわずかな形状は、十分な張力が加えられていない場合に、適切な張力が加えられていることを示していると解釈される可能性がある。さらに、形状が十分に変化していないという判断は、張力が加えられすぎる原因となり得る。いずれの場合にも、静脈疾患の治療は、包帯に張力を加えている間のアイコンまたは形状の誤った判定ゆえに、不成功とし得る。
【００２０】
本明細書で説明するように、圧迫療法装置１００は、視覚的な合図を臨床医が主観的に解釈する必要なく、適切な量の張力が加えられたことの視覚的な合図を臨床医にもたらし得る張力インジケータを有する包帯を提供することによって、これらのおよび他の欠点を克服できる。
【００２１】
図３は、圧迫療法装置１００の一部の実施形態に関連付けられ得る追加的な詳細を示す平面図である。張力インジケータ１０２は、包帯１１０の幅１１４の中央部分に近接して配置され得る。一部の実施形態では、張力インジケータ１０２は、包帯１１０の長さと同一の広がりを持ち、かつ包帯１１０の幅１１４を下回る幅を有し得る。張力インジケータ１０２は、包帯１１０に結合され、かつ包帯１１０の弾性変形と実質的に同じ割合で弾性的に変形するように構成され得る。張力インジケータ１０２および包帯１１０が実質的に同じ割合で弾性的に変形する場合、包帯１１０が経験する弾性変形は、張力インジケータ１０２によって経験され得る。
【００２２】
一部の実施形態では、張力インジケータ１０２は、ホログラフィ形成ポリマー分散液晶（Ｈ−ＰＤＬＣ：ｈｏｌｏｇｒａｐｈｉｃａｌｌｙ  ｆｏｒｍｅｄ  ｐｏｌｙｍｅｒ  ｄｉｓｐｅｒｓｅｄ  ｌｉｑｕｉｄ  ｃｒｙｓｔａｌ）フィルムとし得る。Ｈ−ＰＤＬＣフィルムは、ポリマーマトリクスに配置された液晶液滴の層を含み得る。液晶液滴は、ポリマーマトリクスに置かれ、かつ特定の波長で光を反射するように、ホログラフィック光によって重合され得る。形成後、例えば、ポリマーマトリクスを伸張させることによってポリマーマトリクスが変形される場合、液晶液滴の屈折率が変化し得るため、液晶液滴は、異なる波長で光を反射し、Ｈ−ＰＤＬＣフィルムが色を変化させたまたは色ずれしたように見える。液晶液滴の位置決めは、Ｈ−ＰＤＬＣフィルムの形成の最中に制御され得るため、液晶液滴は、特定の変形量で、光のある波長を反射し、Ｈ−ＰＤＬＣフィルムが反射型ひずみ計として機能し得る。例えば、張力インジケータ１０２を形成するＨ−ＰＤＬＣフィルムが、予め決められたレベルの張力を受ける場合、Ｈ−ＰＤＬＣフィルム、その結果として張力インジケータ１０２は、クリアまたは乳白色の状態から青色の状態へ変化し得る。クリアまたは乳白色の状態は、一般的に、張力インジケータ１０２に色がない場合の張力インジケータ１０２の色の状態を指す。クリアまたは乳白色の状態では、張力インジケータ１０２は、透明でも、不透明でもよいし、または透明と不透明との間の半透明を有してもよい。他の例示的な実施形態では、張力インジケータ１０２を形成するＨ−ＰＤＬＣフィルムは、圧縮力を受け、張力インジケータ１０２を、クリアまたは乳白色の状態から赤色の状態へ変化させ得る。張力または圧縮力の何れかにおいて、張力インジケータ１０２は色を変化させる、すなわち、クリアから青色へ、またはクリアから赤色へ変化させ、張力インジケータ１０２は、色ずれ（ｃｏｌｏｒ  ｓｈｉｆｔ、ｃｏｌｏｒ  ｓｈｉｆｔｉｎｇ）を受けるまたは経験するといわれ得る。
【００２３】
Ｈ−ＰＤＬＣフィルムは、所望の通りに色ずれするように製造され得る。例えば、Ｈ−ＰＤＬＣフィルムは、Ｈ−ＰＤＬＣフィルムが特定の張力を受ける場合に、色ずれするように製造され得る。同様に、Ｈ−ＰＤＬＣフィルムは、Ｈ−ＰＤＬＣフィルムが所望の張力以外の張力を受ける場合に、色ずれするように製造され得る。所望量の張力が、包帯１１０および張力インジケータ１０２の特定の量のひずみと一致し得る。一部の実施形態では、張力インジケータ１０２は、圧迫療法装置１００に対して選択され得るため、張力インジケータ１０２は、選択した量のひずみにおいて色ずれし得る。従って、圧迫療法装置１００に張力が正しく加えられる場合、張力インジケータ１０２は、選択したひずみおよび色ずれを経験し得る。一部の実施形態では、張力インジケータ１０２は、予め決められた量の張力が圧迫療法装置１００に加えられると、クリアから青色への色ずれを経験し得る。予め決められた量の張力は、包帯１１０および張力インジケータ１０２の公知のひずみを生じ、適切な張力が圧迫療法装置１００に加えられる場合に、張力インジケータ１０２を色ずれさせ得る。
【００２４】
一部の実施形態では、単一の張力インジケータ１０２が包帯１１０に結合され得る。張力インジケータ１０２は、包帯１１０の幅１１４の中央部分に近接して位置決めされ、かつ包帯１１０の長さに延在し得る。一部の実施形態では、図３の矢印に示すように、予め決められた量の張力が圧迫療法装置１００に加えられる場合、張力インジケータ１０２は、クリアから青色へ色ずれし得る。一部の実施形態では、張力インジケータ１０２は、圧迫療法装置１００の製造プロセスの最中に、例えば、張力インジケータ１０２を包帯１１０に織り込むことによって、包帯１１０に固定され得る。他の実施形態では、張力インジケータ１０２は、圧迫療法装置１００の製造後に、例えば、張力インジケータ１０２を包帯１１０の表面にボンディングする、縫い付ける、または他の方法で固定することによって、包帯１１０に固定され得る。
【００２５】
図２に示すように、圧迫療法装置１００は脚１１２に巻き付けられ得る。脚１１２に巻き付けるために、圧迫療法装置１００の第１の端部１０６は脚１１２の足首に近接して位置決めされ、かつ圧迫療法装置１００は足首に巻き付けられ得るため、圧迫療法装置１００の少なくとも一部分が圧迫療法装置１００の第１の端部１０６に重なり合う。一部の実施形態では、少なくとも２つの包帯止め１０４は、圧迫療法装置１００の第１の端部１０６に重なる圧迫療法装置１００の部分を、圧迫療法装置１００の第１の端部１０６に固定するために使用され得る。包帯止め１０４は、圧迫療法装置１００の残りの部分を適用している最中に、圧迫療法装置１００がほどけないようにし得る。圧迫療法装置１００の第２の端部１０８は、圧迫療法装置１００に張力を加えるように引かれ得る。張力インジケータ１０２の色ずれは、所望の張力を示し得る。圧迫療法装置１００に張力がかけられた状態を保ち、かつ張力インジケータ１０２が色ずれを確実に維持するように張力インジケータ１０２を監視する間に、圧迫療法装置１００は脚１１２に巻き付けられ得る。ひとたび圧迫療法装置１００が脚１１２に巻き付けられたら、圧迫療法装置１００の第２の端部１０８は脚１１２の膝に近接し得る。包帯止め１０４を使用して、第２の端部１０８を、圧迫療法装置１００の隣接する部分に固定し、それにより、圧迫療法装置１００に張力を維持して、圧迫療法を施し得る。
【００２６】
一部の実施形態では、張力インジケータ１０２は、巻き付けプロセスの最中に、包帯１１０の重なり量の指標となり得る。例えば、張力インジケータ１０２が、包帯１１０の幅１１４の中心部分の近くに配置される場合、圧迫療法装置１００は、次の層の下縁が、張力インジケータ１０２に重なり合うことなく、張力インジケータ１０２の縁に近接して配置され得るように、巻き付けられ得る。このようにして、前の層の上部は、張力インジケータ１０２を見えなくすることなく、次の層の下部によって被覆され得る。一部の実施形態では、このような方法での圧迫療法装置１００の巻き付けは、５０％の重なりが処方されている場合、圧迫療法装置１００の５０％の重なりを維持するのを支援し得る。
【００２７】
図４および図５は、圧迫療法装置２００の別の例示的な実施形態に関連付けられ得る追加的な詳細を示す平面図である。圧迫療法装置２００は、圧迫療法装置１００と同様とし、かつその構成要素を含み、下記で詳細に説明するように修正され得る。同様の要素は、１００だけ大きくした同様の参照符号を含み得る。圧迫療法装置２００は、包帯２１０、および張力インジケータ２１６、２１８、２２０、２２２、２２４、および２２６を含み得る。各張力インジケータ２１６、２１８、２２０、２２２、２２４、および２２６は、上述の張力インジケータ１０２と同様とし、かつそれと同様に動作し得る。
【００２８】
一部の実施形態では、張力インジケータ２１６、２１８、２２０、２２２、２２４、および２２６は、張力インジケータ２１６、２１８、２２０、２２２、２２４、および２２６が包帯２１０の幅２１４にわたって分配されるように、包帯２１０に配置され得る。図４および図５に示すように、例えば、張力インジケータ２１６、２１８、２２０、２２２、２２４、および２２６は、幅２１４にわたって割り当てられ得る。より特定的な実施形態では、張力インジケータ２１６、２１８、２２０、２２２、２２４、および２２６は等しく割り当てられ得るため、張力インジケータ２１６、２１８、２２０、２２２、２２４、および２２６の各々の幅は実質的に等しい。一部の実施形態では、張力インジケータ２１６、２１８、２２０、２２２、２２４、および２２６はまた、包帯２１０に平行に配置され得る。張力インジケータ２１６、２１８、２２０、２２２、２２４、および２２６の何れかまたは全てはまた、包帯２１０の長さに実質的に等しい長さを有し得るため、一部の実施形態では、張力インジケータ２１６、２１８、２２０、２２２、２２４、および２２６は、集合的に包帯２１０を被覆する。
【００２９】
各張力インジケータ２１６、２１８、２２０、２２２、２２４、および２２６は、異なる予め決められたレベルの張力に応えて色ずれするように構成され得る。一部の実施形態では、張力インジケータ２１６、２１８、２２０、２２２、２２４、および２２６は、張力レベルの増加に応答する。例えば、張力インジケータ２１６は最低レベルの張力に応答し、および張力インジケータ２２６は最高レベルの張力に応答し得る。張力インジケータ２１８、２２０、２２２、および２２４は、最低レベルの張力と最高レベルの張力との間の張力レベルの増加に増分的に応答し得る。
【００３０】
一部の実施形態では、最大レベルの張力が圧迫療法装置２００に加えられる場合、張力インジケータ２２６が色ずれし得る。各張力インジケータ２１６、２１８、２２０、２２２、および２２４は、増分的により低いレベルの張力に応答して、色ずれし得る。増分的により低いレベルの張力は、圧迫療法装置２００に加えられる張力と最大レベルの張力との間の関係を示すように選択され得る。張力が加えられる場合、図４および図５の矢印によって示すように、張力インジケータ２１６、２１８、２２０、２２２、２２４、および２２６は、それぞれ、異なるレベルの予め決められた張力に応答して、色ずれし得る。例えば、図４の例示的実施形態では、張力インジケータ２１６、２１８、および２２０は、張力インジケータ２１６、２１８、および２２０のシェーディングによって示すように、色ずれした。図４の例示的実施形態では、圧迫療法装置２００に加えられた張力は、最大張力の約５０％とし得る。図５の例示的実施形態では、張力インジケータ２１６、２１８、２２０、２２２、および２２４は、張力インジケータ２１６、２１８、２２０、２２２、および２２４のシェーディングによって示すように、色ずれした。図５の例示的実施形態では、圧迫療法装置２００に加えられた張力は、最大張力の約８３％とし得る。このようにして、張力インジケータ２１６、２１８、２２０、２２４、および２２６は、どの程度の張力が圧迫療法装置２００に加えられたかの指標となり得る。
【００３１】
一部の実施形態では、圧迫療法装置２００によって示され得る最大レベルの張力に基づいて、圧迫プロファイルは処方され得る。例えば、張力インジケータ２２６が最大張力で色ずれする場合、処方された圧迫プロファイルは、最大張力の５０％としてもたらされ得る。圧迫療法装置２００が四肢に加えられる場合、張力インジケータ２１６、２１８、および２２０は色ずれするように圧迫療法装置２００に張力が加えられ、最大張力の５０％が圧迫療法装置２００に加えられていることを示す。本明細書では、最大張力は、張力インジケータ２１６、２１８、２２０、２２２、２２４、および２２６によって示され得る最大張力を指す。
【００３２】
図６は、圧迫療法装置３００の別の例示的な実施形態に関連付けられ得る詳細を示す平面図である。圧迫療法装置３００は、圧迫療法装置１００と同様とし、かつその構成要素を含み、下記で詳細に説明するように修正され得る。同様の要素は、２００だけ大きくした同様の参照符号を含み得る。圧迫療法装置３００は、包帯３１０、および張力インジケータ３１６、３１８、３２０、３２２、３２４、および３２６を含み得る。各張力インジケータ３１６、３１８、３２０、３２２、３２４、および３２６は、上述の張力インジケータ１０２と同様とし、かつそれと同様に動作し得る。
【００３３】
張力インジケータ３１６、３１８、３２０、３２２、３２４、および３２６は、張力インジケータ３１６、３１８、３２０、３２２、３２４、および３２６が包帯３１０の幅３１４にわたって分配され得るように、包帯３１０に配置され得る。図６に示すように、例えば、張力インジケータ３１６、３１８、３２０、３２２、３２４、および３２６は幅３１４にわたって等しく割り当てられ得るため、張力インジケータ３１６、３１８、３２０、３２２、３２４、および３２６の各々の幅は実質的に等しい。一部の実施形態では、張力インジケータ３１６、３１８、３２０、３２２、３２４、および３２６はまた、包帯３１０に平行に配置され得る。張力インジケータ３１６、３１８、３２０、３２２、３２４、および３２６の何れかまたは全てはまた、包帯３１０の長さと実質的に等しい長さを有し得るため、一部の実施形態では、張力インジケータ３１６、３１８、３２０、３２２、３２４、および３２６は、包帯３１０を集合的に被覆する。
【００３４】
各張力インジケータ３１６、３１８、３２０、３２２、３２４、および３２６は、同じ予め決められたレベルの張力に応答して色ずれするように構成され得る。張力インジケータ３１６、３１８、３２０、３２２、３２４、および３２６は、包帯３１０の幅３１４にわたって配置され得るため、各張力インジケータ３１６、３１８、３２０、３２４および３２６は、圧迫療法装置３００の幅３１４の一部分に対する張力のレベルを示し得る。張力が圧迫療法装置３００の幅３１４の一部分にのみ加えられる場合、張力の適用部分に近接する張力インジケータ３１６、３１８、３２０、３２４、または３２６のみが、色ずれを経験し得る。このようにして、張力インジケータ３１６、３１８、３２０、３２４、および３２６は、圧迫療法装置３００の幅３１４にわたって加えられる張力が不均一であるかどうかを示し得る。例えば、図６の矢印に示すように、張力は、圧迫療法装置３００の中央部分ではなく、縁に近接して加えられてもよい。それに応じて、張力インジケータ３１６および３２６は色ずれを経験し、張力が圧迫療法装置３００の中央部分に加えられていない場合があることを示し得る。
【００３５】
図７は、圧迫療法装置４００の別の例示的な実施形態に関連付けられ得る詳細を示す平面図である。圧迫療法装置４００は、圧迫療法装置１００と同等とし、かつその構成要素を含み、下記で詳細に説明するように修正され得る。同様の要素は、３００だけ大きくして同様の参照符号を含み、例えば、圧迫療法装置４００は包帯４１０を含み得る。
【００３６】
一部の実施形態では、圧迫療法装置４００は複数の圧迫ゾーンに分割され得る。一部の実施形態では、圧迫ゾーンは、圧迫療法装置４００の長さに沿って等しく割り当てられ得る。図７に示すように、例えば、第１の圧迫ゾーン４３０、第２の圧迫ゾーン４３２、第３の圧迫ゾーン４３４、第４の圧迫ゾーン４３６、および第５の圧迫ゾーン４３８が、圧迫療法装置４００の長さに沿って等しく割り当てられ得る。圧迫ゾーンはまた、直列につながり得るため、各圧迫ゾーンは、少なくとも１つの隣接する圧迫ゾーンと連結され得る。例えば、第１の圧迫ゾーン４３０は第１の端部４０６に近接し、および第５の圧迫ゾーン４３８は第２の端部４０８に近接し得る。第２の圧迫ゾーン４３２、第３の圧迫ゾーン４３４、および第４の圧迫ゾーン４３６は、圧迫療法装置４００の長さに沿って、第１の圧迫ゾーン４３０と第５の圧迫ゾーン４３８との間に連続して分配され得る。
【００３７】
一部の実施形態では、各圧迫ゾーン４３０、４３２、４３４、４３６、および４３８は、２つ以上の張力インジケータを含み得る。例えば、各圧迫ゾーン４３０、４３２、４３４、４３６、および４３８は、６個の張力インジケータ４１６、４１８、４２０、４２２、４２４、および４２６を含み得る。各張力インジケータ４１６、４１８、４２０、４２２、４２４、および４２６は、上述の張力インジケータ１０２と同様とし、かつそれと同様に動作し得る。
【００３８】
張力インジケータ４１６、４１８、４２０、４２２、４２４、および４２６は、張力インジケータ４１６、４１８、４２０、４２２、４２４、および４２６が各圧迫ゾーン４３０、４３２、４３４、４３６、および４３８の幅４１４にわたって分配され得るように、包帯４１０に配置され得る。図７に示すように、例えば、張力インジケータ４１６、４１８、４２０、４２２、４２４、および４２６は、幅４１４にわたって割り当てられ得る。より特定的な実施形態では、張力インジケータ４１６、４１８、４２０、４２２、４２４、および４２６は等しく割り当てられ得るため、張力インジケータ４１６、４１８、４２０、４２２、４２４、および４２６の幅は実質的に等しい。一部の実施形態では、張力インジケータ４１６、４１８、４２０、４２２、４２４、および４２６はまた、各圧迫ゾーン４３０、４３２、４３４、４３６、および４３８にわたって平行に配置される。
【００３９】
各張力インジケータ４１６、４１８、４２０、４２２、４２４、および４２６は、異なる予め決められたレベルの張力に応えて色ずれするように構成され得る。一部の実施形態では、張力インジケータ４１６、４１８、４２０、４２２、４２４、および４２６は、最低レベルの張力に応答する張力インジケータ４１６、最高レベルの張力に応答する張力インジケータ４２６、および最低レベルの張力と最高レベルの張力との間の増分レベルの張力に応答する張力インジケータ４１８、４２０、４２２、および４２４によって、張力レベルの増加に応答し得る。張力インジケータ４１６、４１８、４２０、４２２、４２４、および４２６は、圧迫療法装置４００の長さを下回る長さを有するため、各張力インジケータ４１６、４１８、４２０、４２２、４２４、および４２６は、張力インジケータ４１６、４１８、４２０、４２２、４２４、および４２６が配置され得る圧迫ゾーン４３０、４３２、４３４、４３６、および４３８に加えられた張力の指標となるにすぎないとし得る。
【００４０】
張力が加えられる場合、図７の矢印に示すように、張力インジケータ４１６、４１８、４２０、４２２、４２４、および４２６は、それぞれ、それらの特定レベルの予め決められた張力がそれらの特定の圧迫ゾーン４３０、４３２、４３４、４３６、および４３８において達成される場合に、色ずれし得る。例えば、第１の圧迫ゾーン４３０では、張力インジケータ４１６、４１８、および４２０が色ずれした。従って、圧迫療法装置４００は、第１の圧迫ゾーン４３０において、圧迫療法装置４００に加えられる最大張力の約５０％を有する。第２の圧迫ゾーン４３２では、張力インジケータ４１６および４１８が色ずれした。従って、圧迫療法装置４００は、第２の圧迫ゾーン４３２において、圧迫療法装置４００に加えられる最大張力の約３３％を有する。第３の圧迫ゾーン４３４では、張力インジケータ４１６、４１８、４２０、４２２および４２４が色ずれした。従って、圧迫療法装置４００は、第３の圧迫ゾーン４３４において、圧迫療法装置４００に加えられる最大張力の約８３％を有する。第４の圧迫ゾーン４３６では、張力インジケータ４１６が色ずれした。従って、圧迫療法装置４００は、第４の圧迫ゾーン４３６において、圧迫療法装置４００に加えられる最大張力の約１６％を有する。第５の圧迫ゾーン４３８では、張力インジケータ４１６、４１８、４２０、および４２２が色ずれした。従って、圧迫療法装置４００は、第５の圧迫ゾーン４３８において、圧迫療法装置４００に加えられる最大張力の約６５％を有する。本明細書では、最大張力は、張力インジケータ４１６、４１８、４２０、４２２、４２４、および４２６によって示され得る最大張力を指す。
【００４１】
圧迫ゾーン４３０、４３２、４３４、４３６、および４３８は、圧迫療法装置４００の圧迫プロファイルを、治療されている特定の四肢に、より明確に合わせられることができるようにし得る。例えば、臨床医は、四肢の異なる部分が、一定レベルの張力および四肢の周囲の増加によってもたらされる標準的な圧迫プロファイルによっては満たされない可能性がある、異なるレベルの圧迫を必要とし得ることを、決定し得る。各圧迫ゾーン４３０、４３２、４３４、４３６、および４３８の各張力インジケータ４１６、４１８、４２０、４２２、４２４、および４２６が異なるレベルの張力を示し得るため、臨床医は、異なる圧迫ゾーン４３０、４３２、４３４、４３６、および４３８によって被覆された四肢の各部分に対し、特定量の張力を処方し得る。各張力インジケータ４１６、４１８、４２０、４２２、４２４、および４２６に結果を生じさせる張力レベルは公知とし得るため、臨床医は、第１の圧迫ゾーン４３０に第１のレベルの張力、第２の圧迫ゾーン４３２に第２のレベルの張力などを処方し得る。各レベルの張力は、異なる張力インジケータ４１６、４１８、４２０、４２２、４２４、および４２６と一致し得るため、適切な張力インジケータ４１６、４１８、４２０、４２２、４２４、および４２６が色ずれする場合、臨床医は、四肢のその部分に対して所望の圧迫が達成されたことを知り得る。例えば、図７では、第１の圧迫ゾーン４３０に処方された圧迫は、張力インジケータ４２０によって示され得る張力レベルと一致し得る。従って、臨床医は、圧迫療法装置４００を四肢に巻き付ける間に圧迫療法装置４００に張力を加え得るため、張力インジケータ４１６、４１８、および４２０は色ずれした。ひとたび、第１の圧迫ゾーン４３０と一致する圧迫療法装置４００の部分を四肢に巻き付けたら、臨床医は、第２の圧迫ゾーン４３２に一致する圧迫療法装置４００の一部分を四肢に巻き付ける間に、異なるレベルの張力を圧迫療法装置４００に加え得る。一部の実施形態では、第２の圧迫ゾーン４３２に処方された圧迫は、張力インジケータ４１８によって示され得る張力レベルと一致し得る。臨床医は、圧迫療法装置４００を四肢に巻き付ける間に圧迫療法装置４００に張力を加え得るため、張力インジケータ４１６および４１８は色ずれする。ひとたび、第２の圧迫ゾーン４３２と一致する圧迫療法装置４００の一部分を四肢に巻き付けたら、臨床医は、第３の圧迫ゾーン４３４、第４の圧迫ゾーン４３６、および第５の圧迫ゾーン４３８に一致する圧迫療法装置４００の一部分を四肢に巻き付ける間に、異なるレベルの張力を圧迫療法装置４００に加え得る。
【００４２】
本明細書で説明したシステムおよび方法は、重要な利点をもたらし、そのいくつかを既に述べた。例えば、圧迫療法装置１００は、臨床医に、臨床医の主観的な判断に頼らない、圧迫療法装置１００に加えられた張力レベルのより客観的な指示を提供し得る。指示は、単に色の有無によってもたらされ得るため、色覚異常とし得る使用者は、圧迫療法装置１００の使用によって妨げられることがないとし得る。さらに、圧迫療法装置１００は、臨床医に、張力が圧迫療法装置１００に均一に加えられているかどうかを判断する能力をもたらし得る。圧迫療法装置１００はまた、様々なレベルの張力が加えられている特定の領域を示すことができるとし得る。
【００４３】
いくつかの例示的かつ非限定的な実施形態を提示したが、添付の特許請求の範囲から逸脱せずに、様々な変更、代替、置換、および修正をなし得ることを理解されたい。何れか一つの実施形態に関連して説明された任意の特徴はまた、任意の他の実施形態にも適用可能であり得ることが認識される。
【００４４】
上述の利益および利点は、一実施形態に関連し得ること、またはいくつかの実施形態に関連し得ることが理解される。「１つの（ａｎ）」品目への言及は、１つ以上のそれら品目を指すことをさらに理解されたい。
【００４５】
本明細書で説明した方法のステップは、任意の好適な順序で、または適切な場合には同時に実施し得る。
【００４６】
適切な場合には、上述の実施形態の何れかの特徴を、説明の任意の他の実施形態の特徴と組み合わせて、類似のまたは異なる特性を有しかつ同じまたは異なる問題に対処する別の例を形成する。
【００４７】
好ましい実施形態の上述の説明は例示にすぎず、当業者は様々な修正をなし得ることを理解されたい。上述の明細書、例、およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
2016514028.tif 000003
【図２】
2016514028.tif 000004
【図３】
2016514028.tif 000005
【図４】
2016514028.tif 000006
【図５】
2016514028.tif 000007
【図６】
2016514028.tif 000008
【図７】
2016514028.tif 000009
【国際調査報告】
2016514028.tif 000010
2016514028.tif 000011
2016514028.tif 000012